(57)【要約】【課題】フェムトＮｏｄｅＢの上位装置において、契約外移動機がフェムトＮｏｄｅＢのリソースを利用したか否かを知ることができないこと。【解決手段】上位交換機は、フェムトＮｏｄｅＢの契約ユーザ以外の契約外移動機に対し、フェムトＮｏｄｅＢのリソースの利用を許可するか否かを示す共有モード情報と、契約外移動機が利用可能なリソース量の共有レベルを示す共有レベル情報とを予め記憶し、フェムトＮｏｄｅＢに契約外移動機の発着信があった場合、フェムトＮｏｄｅＢの共有モード情報が許可を示していれば、フェムトＮｏｄｅＢの共有レベル情報を無線アクセス制御装置に通知する。無線アクセス制御装置は、上位交換機から共有レベル情報を受信した場合、契約外移動機の利用リソース量が共有レベルに対応する上限値を超過しない場合、契約外移動機によるフェムトＮｏｄｅＢのリソースの利用を許可し、その旨の情報を前記上位交換機に通知する。【選択図】図１
2013162400.tif 000002
【特許請求の範囲】
【請求項１】
移動機と、フェムトＮｏｄｅＢと、無線アクセス制御装置と、上位交換機と、を有してなる移動通信システムであって、
前記上位交換機は、
前記フェムトＮｏｄｅＢの契約をした契約ユーザの移動機以外の契約外移動機に対し、該フェムトＮｏｄｅＢのリソースの利用を許可するか否かを示す共有モード情報と、前記契約外移動機が利用可能な前記フェムトＮｏｄｅＢのリソース量の上限値に対応する共有レベルを示す共有レベル情報と、を予め記憶し、
前記フェムトＮｏｄｅＢに対して前記契約外移動機の発着信があった場合、該フェムトＮｏｄｅＢの前記共有モード情報が許可を示していれば、該フェムトＮｏｄｅＢの前記共有レベル情報を前記無線アクセス制御装置に通知し、
前記無線アクセス制御装置は、
前記上位交換機から前記共有レベル情報を受信した場合、前記契約外移動機が前記フェムトＮｏｄｅＢのリソースを利用すると仮定した場合における利用リソース量が、前記共有レベル情報が示している共有レベルに対応する上限値を超過しない場合、前記契約外移動機による前記フェムトＮｏｄｅＢのリソースの利用を許可し、その旨の情報を前記上位交換機に通知する、移動通信システム。
【請求項２】
移動機と、フェムトＮｏｄｅＢと、無線アクセス制御装置と、上位交換機と、を有してなる移動通信システムであって、
前記フェムトＮｏｄｅＢは、
前記フェムトＮｏｄｅＢの契約をした契約ユーザの移動機以外の契約外移動機に対し、該フェムトＮｏｄｅＢのリソースの利用を許可するか否かを示す共有モード情報と、前記契約外移動機が利用可能な前記フェムトＮｏｄｅＢのリソース量の上限値に対応する共有レベルを示す共有レベル情報と、を予め記憶し、所定のタイミングで前記共有モード情報および前記共有レベル情報を前記無線アクセス制御装置に通知し、
前記無線アクセス制御装置は、
前記フェムトＮｏｄｅＢから前記共有モード情報および前記共有レベル情報が通知された場合、該共有モード情報および該共有レベル情報を記憶し、
前記フェムトＮｏｄｅＢに対して前記移動機の発着信があった場合、該フェムトＮｏｄｅＢの共有モード情報を前記上位交換機に通知し、
前記上位交換機は、
前記フェムトＮｏｄｅＢに対して発着信があった移動機が前記契約外移動機である場合、該フェムトＮｏｄｅＢの前記共有モード情報が許可を示していれば、前記契約外移動機による前記フェムトＮｏｄｅＢのリソースの利用を許可するか否かを判断させるための指示を前記無線アクセス制御装置に通知し、
前記無線アクセス制御装置は、
前記上位交換機から前記指示を受信した場合、前記契約外移動機が前記フェムトＮｏｄｅＢのリソースを利用すると仮定した場合における利用リソース量が、前記共有レベル情報が示している共有レベルに対応する上限値を超過しない場合、前記契約外移動機による前記フェムトＮｏｄｅＢのリソースの利用を許可し、その旨の情報を前記上位交換機に通知する、移動通信システム。
【請求項３】
前記上位交換機は、
前記無線アクセス制御装置から、前記契約外移動機による前記フェムトＮｏｄｅＢのリソースの利用を許可する旨の情報を受信した場合、前記契約外移動機の利用リソース量に応じたポイントを前記契約ユーザに加算する処理を開始する、請求項１または２に記載の移動通信システム。
【請求項４】
移動機と、Ｈｏｍｅ  ｅＮｏｄｅＢと、上位交換機と、を有してなる移動通信システムであって、
前記上位交換機は、
前記Ｈｏｍｅ  ｅＮｏｄｅＢの契約をした契約ユーザの移動機以外の契約外移動機に対し、該Ｈｏｍｅ  ｅＮｏｄｅＢのリソースの利用を許可するか否かを示す共有モード情報と、前記契約外移動機が利用可能な前記Ｈｏｍｅ  ｅＮｏｄｅＢのリソース量の上限値に対応する共有レベルを示す共有レベル情報と、を予め記憶し、
前記Ｈｏｍｅ  ｅＮｏｄｅＢに対して前記契約外移動機の発着信があった場合、該Ｈｏｍｅ  ｅＮｏｄｅＢの前記共有モード情報が許可を示していれば、該Ｈｏｍｅ  ｅＮｏｄｅＢの前記共有レベル情報を該Ｈｏｍｅ  ｅＮｏｄｅＢに通知し、
前記Ｈｏｍｅ  ｅＮｏｄｅＢは、
前記上位交換機から前記共有レベル情報を受信した場合、前記契約外移動機が前記Ｈｏｍｅ  ｅＮｏｄｅＢのリソースを利用すると仮定した場合における利用リソース量が、前記共有レベル情報が示している共有レベルに対応する上限値を超過しない場合、前記契約外移動機による前記Ｈｏｍｅ  ｅＮｏｄｅＢのリソースの利用を許可し、その旨の情報を前記上位交換機に通知する、移動通信システム。
【請求項５】
前記上位交換機は、
前記Ｈｏｍｅ  ｅＮｏｄｅＢから、前記契約外移動機による前記Ｈｏｍｅ  ｅＮｏｄｅＢのリソースの利用を許可する旨の情報を受信した場合、前記契約外移動機の利用リソース量に応じたポイントを前記契約ユーザに加算する処理を開始する、請求項４に記載の移動通信システム。
【請求項６】
フェムトＮｏｄｅＢの契約をした契約ユーザの移動機以外の契約外移動機に対し、該フェムトＮｏｄｅＢのリソースの利用を許可するか否かを示す共有モード情報と、前記契約外移動機が利用可能な前記フェムトＮｏｄｅＢのリソース量の上限値に対応する共有レベルを示す共有レベル情報と、を予め記憶する記憶部と、
前記フェムトＮｏｄｅＢに対して前記契約外移動機の発着信があった場合、該フェムトＮｏｄｅＢの前記共有モード情報が許可を示していれば、該フェムトＮｏｄｅＢの前記共有レベル情報を無線アクセス制御装置に通知し、前記共有レベル情報を基に前記契約外移動機による前記基地局のリソースの利用を許可するか否かを判断するよう指示する制御部と、を有する上位交換機。
【請求項７】
フェムトＮｏｄｅＢから無線アクセス制御装置を介して、該フェムトＮｏｄｅＢの契約をした契約ユーザの移動機以外の契約外移動機に対し、該フェムトＮｏｄｅＢのリソースの利用を許可するか否かを示す共有モード情報を受信する通信部と、
前記フェムトＮｏｄｅＢに対して前記契約外移動機の発着信があった場合、該フェムトＮｏｄｅＢの前記共有モード情報が許可を示していれば、前記無線アクセス制御装置に対し、前記契約外移動機が利用可能な前記フェムトＮｏｄｅＢのリソース量の上限値に対応する共有レベルを示す共有レベル情報を基に前記契約外移動機による前記基地局のリソースの利用を許可するか否かを判断するよう指示する制御部と、を有する上位交換機。
【請求項８】
上位交換機から、フェムトＮｏｄｅＢの契約をした契約ユーザの移動機以外の契約外移動機に該フェムトＮｏｄｅＢのリソースの利用を許可する場合における、前記契約外移動機が利用可能な前記フェムトＮｏｄｅＢのリソース量の上限値に対応する共有レベルを示す共有レベル情報を受信する通信部と、
前記上位交換機から前記共有レベル情報を受信した場合、前記契約外移動機が前記フェムトＮｏｄｅＢのリソースを利用すると仮定した場合における利用リソース量が、前記共有レベル情報が示している共有レベルに対応する上限値を超過しない場合、前記契約外移動機による前記フェムトＮｏｄｅＢのリソースの利用を許可し、その旨の情報を前記上位交換機に通知する制御部と、を有する無線アクセス制御装置。
【請求項９】
上位交換機から、Ｈｏｍｅ  ｅＮｏｄｅＢの契約をした契約ユーザの移動機以外の契約外移動機に該Ｈｏｍｅ  ｅＮｏｄｅＢのリソースの利用を許可する場合における、前記契約外移動機が利用可能な前記Ｈｏｍｅ  ｅＮｏｄｅＢのリソース量の上限値に対応する共有レベルを示す共有レベル情報を受信する通信部と、
前記上位交換機から前記共有レベル情報を受信した場合、前記契約外移動機が前記Ｈｏｍｅ  ｅＮｏｄｅＢのリソースを利用すると仮定した場合における利用リソース量が、前記共有レベル情報が示している共有レベルに対応する上限値を超過しない場合、前記契約外移動機による前記Ｈｏｍｅ  ｅＮｏｄｅＢのリソースの利用を許可し、その旨の情報を前記上位交換機に通知する制御部と、を有するＨｏｍｅ  ｅＮｏｄｅＢ。
【請求項１０】
上位交換機による通信方法であって、
フェムトＮｏｄｅＢの契約をした契約ユーザの移動機以外の契約外移動機に対し、該フェムトＮｏｄｅＢのリソースの利用を許可するか否かを示す共有モード情報と、前記契約外移動機が利用可能な前記フェムトＮｏｄｅＢのリソース量の上限値に対応する共有レベルを示す共有レベル情報と、を予め記憶する記憶ステップと、
前記フェムトＮｏｄｅＢに対して前記契約外移動機の発着信があった場合、該フェムトＮｏｄｅＢの前記共有モード情報が許可を示していれば、該フェムトＮｏｄｅＢの前記共有レベル情報を無線アクセス制御装置に通知し、前記共有レベル情報を基に前記契約外移動機による前記基地局のリソースの利用を許可するか否かを判断するよう指示する制御ステップと、を有する通信方法。
【発明の詳細な説明】
【技術分野】
【０００１】
本発明は、移動通信システムにおいて、基地局のリソースを共有する技術に関する。
【背景技術】
【０００２】
電波法の改正以前は、通信事業者のみが基地局を設置することを認められていたが、電波法改正により、通信事業者以外も基地局を設置することが許可された。
【０００３】
そのため、通信事業者以外の一般ユーザが、フェムトＮｏｄｅＢと称される超小型基地局をユーザ宅に設置するケースも増えており、これを受けて、各通信事業者は、フェムトＮｏｄｅＢ向けのサービスの検討を進めている。
【０００４】
フェムトＮｏｄｅＢは、無線品質の低いエリアに通信事業者が設置するか、または、ユーザが通信事業者と個人契約して設置する。
【０００５】
通信事業者と個人契約した契約ユーザがフェムトＮｏｄｅＢを設置する場合、その目的の多くは、その契約ユーザがフェムトＮｏｄｅＢを利用することにあると考えられる。
【０００６】
そのため、契約外ユーザの移動機（以降、契約外移動機と称す）は、個人契約のフェムトＮｏｄｅＢのリソース（有線区間／無線区間のリソース。以下、同じ）が残存していたとしても、そのフェムトＮｏｄｅＢのリソースを利用できず、リソースが有効に活用されていない。
【０００７】
そこで、最近は、フェムトＮｏｄｅＢのリソースを有効に活用するため、フェムトＮｏｄｅＢのリソースを契約外移動機と共有するための技術が提案されている。
【０００８】
例えば、特許文献１に記載の技術では、サーバは、フェムトＮｏｄｅＢの位置情報と、そのフェムトＮｏｄｅＢの利用が登録ユーザに限定されているか否かを示す利用可否状態情報と、を管理しておく。そして、サーバは、端末から位置を指定したフェムトＮｏｄｅＢの検索要求を受け付けると、端末から指定された位置周辺に所在するフェムトＮｏｄｅＢの利用可否状態情報等を送信する。
【先行技術文献】
【特許文献】
【０００９】
【特許文献１】特開２０１０−１９９９５４号公報
【発明の概要】
【発明が解決しようとする課題】
【００１０】
特許文献１に記載の技術によれば、フェムトＮｏｄｅＢと個人契約をしていない契約外移動機であっても、そのフェムトＮｏｄｅＢの利用が登録ユーザに限定されていなければ、そのフェムトＮｏｄｅＢのリソースを共有することができ、リソースを有効に活用することができる。
【００１１】
しかしながら、特許文献１に記載の技術においては、フェムトＮｏｄｅＢの上位装置に相当するサーバでは、フェムトＮｏｄｅＢの利用可否状態情報等を移動機に送信するのみであり、契約外移動機がフェムトＮｏｄｅＢのリソースを利用したか否かを知ることができないという課題がある。
【００１２】
そこで、本発明の目的は、上述した課題を解決することができる技術を提供することにある。
【課題を解決するための手段】
【００１３】
本発明の第１の移動通信システムは、
移動機と、フェムトＮｏｄｅＢと、無線アクセス制御装置と、上位交換機と、を有してなる移動通信システムであって、
前記上位交換機は、
前記フェムトＮｏｄｅＢの契約をした契約ユーザの移動機以外の契約外移動機に対し、該フェムトＮｏｄｅＢのリソースの利用を許可するか否かを示す共有モード情報と、前記契約外移動機が利用可能な前記フェムトＮｏｄｅＢのリソース量の上限値に対応する共有レベルを示す共有レベル情報と、を予め記憶し、
前記フェムトＮｏｄｅＢに対して前記契約外移動機の発着信があった場合、該フェムトＮｏｄｅＢの前記共有モード情報が許可を示していれば、該フェムトＮｏｄｅＢの前記共有レベル情報を前記無線アクセス制御装置に通知し、
前記無線アクセス制御装置は、
前記上位交換機から前記共有レベル情報を受信した場合、前記契約外移動機が前記フェムトＮｏｄｅＢのリソースを利用すると仮定した場合における利用リソース量が、前記共有レベル情報が示している共有レベルに対応する上限値を超過しない場合、前記契約外移動機による前記フェムトＮｏｄｅＢのリソースの利用を許可し、その旨の情報を前記上位交換機に通知する。
【００１４】
本発明の第２の移動通信システムは、
移動機と、フェムトＮｏｄｅＢと、無線アクセス制御装置と、上位交換機と、を有してなる移動通信システムであって、
前記フェムトＮｏｄｅＢは、
前記フェムトＮｏｄｅＢの契約をした契約ユーザの移動機以外の契約外移動機に対し、該フェムトＮｏｄｅＢのリソースの利用を許可するか否かを示す共有モード情報と、前記契約外移動機が利用可能な前記フェムトＮｏｄｅＢのリソース量の上限値に対応する共有レベルを示す共有レベル情報と、を予め記憶し、所定のタイミングで前記共有モード情報および前記共有レベル情報を前記無線アクセス制御装置に通知し、
前記無線アクセス制御装置は、
前記フェムトＮｏｄｅＢから前記共有モード情報および前記共有レベル情報が通知された場合、該共有モード情報および該共有レベル情報を記憶し、
前記フェムトＮｏｄｅＢに対して前記移動機の発着信があった場合、該フェムトＮｏｄｅＢの共有モード情報を前記上位交換機に通知し、
前記上位交換機は、
前記フェムトＮｏｄｅＢに対して発着信があった移動機が前記契約外移動機である場合、該フェムトＮｏｄｅＢの前記共有モード情報が許可を示していれば、前記契約外移動機による前記フェムトＮｏｄｅＢのリソースの利用を許可するか否かを判断させるための指示を前記無線アクセス制御装置に通知し、
前記無線アクセス制御装置は、
前記上位交換機から前記指示を受信した場合、前記契約外移動機が前記フェムトＮｏｄｅＢのリソースを利用すると仮定した場合における利用リソース量が、前記共有レベル情報が示している共有レベルに対応する上限値を超過しない場合、前記契約外移動機による前記フェムトＮｏｄｅＢのリソースの利用を許可し、その旨の情報を前記上位交換機に通知する。
【００１５】
本発明の第３の移動通信システムは、
移動機と、Ｈｏｍｅ  ｅＮｏｄｅＢと、上位交換機と、を有してなる移動通信システムであって、
前記上位交換機は、
前記Ｈｏｍｅ  ｅＮｏｄｅＢの契約をした契約ユーザの移動機以外の契約外移動機に対し、該Ｈｏｍｅ  ｅＮｏｄｅＢのリソースの利用を許可するか否かを示す共有モード情報と、前記契約外移動機が利用可能な前記Ｈｏｍｅ  ｅＮｏｄｅＢのリソース量の上限値に対応する共有レベルを示す共有レベル情報と、を予め記憶し、
前記Ｈｏｍｅ  ｅＮｏｄｅＢに対して前記契約外移動機の発着信があった場合、該Ｈｏｍｅ  ｅＮｏｄｅＢの前記共有モード情報が許可を示していれば、該Ｈｏｍｅ  ｅＮｏｄｅＢの前記共有レベル情報を該Ｈｏｍｅ  ｅＮｏｄｅＢに通知し、
前記Ｈｏｍｅ  ｅＮｏｄｅＢは、
前記上位交換機から前記共有レベル情報を受信した場合、前記契約外移動機が前記Ｈｏｍｅ  ｅＮｏｄｅＢのリソースを利用すると仮定した場合における利用リソース量が、前記共有レベル情報が示している共有レベルに対応する上限値を超過しない場合、前記契約外移動機による前記Ｈｏｍｅ  ｅＮｏｄｅＢのリソースの利用を許可し、その旨の情報を前記上位交換機に通知する。
【００１６】
本発明の第１の上位交換機は、
フェムトＮｏｄｅＢの契約をした契約ユーザの移動機以外の契約外移動機に対し、該フェムトＮｏｄｅＢのリソースの利用を許可するか否かを示す共有モード情報と、前記契約外移動機が利用可能な前記フェムトＮｏｄｅＢのリソース量の上限値に対応する共有レベルを示す共有レベル情報と、を予め記憶する記憶部と、
前記フェムトＮｏｄｅＢに対して前記契約外移動機の発着信があった場合、該フェムトＮｏｄｅＢの前記共有モード情報が許可を示していれば、該フェムトＮｏｄｅＢの前記共有レベル情報を無線アクセス制御装置に通知し、前記共有レベル情報を基に前記契約外移動機による前記基地局のリソースの利用を許可するか否かを判断するよう指示する制御部と、を有する。
【００１７】
本発明の第２の上位交換機は、
フェムトＮｏｄｅＢから無線アクセス制御装置を介して、該フェムトＮｏｄｅＢの契約をした契約ユーザの移動機以外の契約外移動機に対し、該フェムトＮｏｄｅＢのリソースの利用を許可するか否かを示す共有モード情報を受信する通信部と、
前記フェムトＮｏｄｅＢに対して前記契約外移動機の発着信があった場合、該フェムトＮｏｄｅＢの前記共有モード情報が許可を示していれば、前記無線アクセス制御装置に対し、前記契約外移動機が利用可能な前記フェムトＮｏｄｅＢのリソース量の上限値に対応する共有レベルを示す共有レベル情報を基に前記契約外移動機による前記基地局のリソースの利用を許可するか否かを判断するよう指示する制御部と、を有する。
【００１８】
本発明の無線アクセス制御装置は、
上位交換機から、フェムトＮｏｄｅＢの契約をした契約ユーザの移動機以外の契約外移動機に該フェムトＮｏｄｅＢのリソースの利用を許可する場合における、前記契約外移動機が利用可能な前記フェムトＮｏｄｅＢのリソース量の上限値に対応する共有レベルを示す共有レベル情報を受信する通信部と、
前記上位交換機から前記共有レベル情報を受信した場合、前記契約外移動機が前記フェムトＮｏｄｅＢのリソースを利用すると仮定した場合における利用リソース量が、前記共有レベル情報が示している共有レベルに対応する上限値を超過しない場合、前記契約外移動機による前記フェムトＮｏｄｅＢのリソースの利用を許可し、その旨の情報を前記上位交換機に通知する制御部と、を有する。
【００１９】
本発明のＨｏｍｅ  ｅＮｏｄｅＢは、
上位交換機から、Ｈｏｍｅ  ｅＮｏｄｅＢの契約をした契約ユーザの移動機以外の契約外移動機に該Ｈｏｍｅ  ｅＮｏｄｅＢのリソースの利用を許可する場合における、前記契約外移動機が利用可能な前記Ｈｏｍｅ  ｅＮｏｄｅＢのリソース量の上限値に対応する共有レベルを示す共有レベル情報を受信する通信部と、
前記上位交換機から前記共有レベル情報を受信した場合、前記契約外移動機が前記Ｈｏｍｅ  ｅＮｏｄｅＢのリソースを利用すると仮定した場合における利用リソース量が、前記共有レベル情報が示している共有レベルに対応する上限値を超過しない場合、前記契約外移動機による前記Ｈｏｍｅ  ｅＮｏｄｅＢのリソースの利用を許可し、その旨の情報を前記上位交換機に通知する制御部と、を有する。
【００２０】
本発明の通信方法は、
上位交換機による通信方法であって、
フェムトＮｏｄｅＢの契約をした契約ユーザの移動機以外の契約外移動機に対し、該フェムトＮｏｄｅＢのリソースの利用を許可するか否かを示す共有モード情報と、前記契約外移動機が利用可能な前記フェムトＮｏｄｅＢのリソース量の上限値に対応する共有レベルを示す共有レベル情報と、を予め記憶する記憶ステップと、
前記フェムトＮｏｄｅＢに対して前記契約外移動機の発着信があった場合、該フェムトＮｏｄｅＢの前記共有モード情報が許可を示していれば、該フェムトＮｏｄｅＢの前記共有レベル情報を無線アクセス制御装置に通知し、前記共有レベル情報を基に前記契約外移動機による前記基地局のリソースの利用を許可するか否かを判断するよう指示する制御ステップと、を有する。
【発明の効果】
【００２１】
本発明によれば、上位交換機は、契約外移動機がフェムトＮｏｄｅＢやＨｏｍｅ  ｅＮｏｄｅＢのリソースを利用したか否かを知ることができるという効果が得られる。
【図面の簡単な説明】
【００２２】
【図１】本発明の第１および第２の実施形態の移動通信システムの構成を示すブロック図である。
【図２】本発明の第１の実施形態の移動通信システムにおけるフェムトＮｏｄｅＢの個人契約時の動作の概要を示す図である。
【図３】本発明の第１の実施形態の移動通信システムにおけるフェムトＮｏｄｅＢの起動時の動作の概要を示す図である。
【図４】本発明の第１の実施形態の移動通信システムにおけるフェムトＮｏｄｅＢに対する移動機の発着信時の動作の概要を示す図である。
【図５】本発明の第１の実施形態の移動通信システムにおける具体的な動作の流れを説明するシーケンス図である。
【図６】図５に示した移動機判断処理の流れを説明するフロー図である。
【図７】図５に示したリソース閾値判断処理の流れを説明するフロー図である。
【図８】本発明の第２の実施形態の移動通信システムにおける具体的な動作の流れを説明するシーケンス図である。
【図９】本発明の第３の実施形態の移動通信システムの構成を示すブロック図である。
【図１０】本発明の第３の実施形態の移動通信システムにおける具体的な動作の流れを説明するシーケンス図である。
【図１１】図１０に示した移動機判断処理の流れを説明するフロー図である。
【発明を実施するための形態】
【００２３】
以下に、本発明を実施するための形態について図面を参照して説明する。
（１）第１の実施形態
（１−１）第１の実施形態の構成
図１を参照すると、本実施形態の移動通信システムは、ＷＣＤＭＡ（Wideband Code Division Multiple Access）方式の移動通信システムであり、移動機１０と、フェムトＮｏｄｅＢ２０と、無線アクセス制御装置３０と、上位交換機４０と、を有している。
【００２４】
フェムトＮｏｄｅＢ２０は、移動機１０および無線アクセス制御装置３０と通信する通信部２１と、各種の情報を記憶する記憶部２２と、各種の操作が行われる操作部２３と、フェムトＮｏｄｅＢ２０内の構成要素を制御して各種の処理を行う制御部２４と、を有している。
【００２５】
無線アクセス制御装置３０は、フェムトＮｏｄｅＢ２０および上位交換機４０と通信する通信部３１と、各種の情報を記憶する記憶部３２と、各種の操作が行われる操作部３３と、無線アクセス制御装置３０内の構成要素を制御して各種の処理を行う制御部３４と、を有している。
【００２６】
上位交換機４０は、無線アクセス制御装置３０と通信する通信部４１と、各種の情報を記憶する記憶部４２と、各種の操作が行われる操作部４３と、上位交換機４０内の構成要素を制御して各種の処理を行う制御部４４と、を有している。
【００２７】
なお、移動機１０は、本発明の本質的な部分ではなく、周知の移動機を適用できるため、移動機１０の内部構成の説明は省略する。
（１−２）第１の実施形態の動作
（１−２−１）第１の実施形態の動作の概要
まず、本実施形態の移動通信システムの動作の概要について説明する。
【００２８】
最初に、ユーザがフェムトＮｏｄｅＢ２０を購入し通信事業者と個人契約をする時の動作の概要について、図２を参照して説明する。
【００２９】
図２を参照すると、ユーザは、フェムトＮｏｄｅＢ２０を購入した場合、通信事業者と個人契約を行う。その個人契約の際に、ユーザは、契約外移動機に対し、フェムトＮｏｄｅＢ２０のリソースを利用させる共有モードの有効（リソースの利用を許可する）／無効（リソースの利用を許可しない）と、共有モードを有効とする場合に契約外移動機が利用可能なフェムトＮｏｄｅＢ２０のリソース量の上限値（例えば、帯域使用率など）に対応する共有レベルと、を指定する。
【００３０】
上位交換機４０には、通信事業者により、操作部４３を介して、契約ユーザが決定した共有モードの有効／無効を示す共有モード情報および共有レベルを示す共有レベル情報が、契約ユーザのフェムトＮｏｄｅＢ２０を一意に特定可能な識別番号（以降、フェムトＮｏｄｅＢ識別番号と称す）および契約ユーザの移動機１０を一意に特定可能な識別番号（以降、移動機識別番号と称す）と対応付けて入力される。上位交換機４０においては、ここで入力された情報は、制御部４４により記憶部４２に記憶される（ステップＳ１１）。なお、これらの情報は、通信事業者が上位交換機４０に直接入力するのではなく、通信事業者のサーバ（不図示）から上位交換機４０に送信することにしても良い。
【００３１】
また、フェムトＮｏｄｅＢ２０には、通信事業者により、操作部２３を介して、フェムトＮｏｄｅＢ識別番号が入力される。フェムトＮｏｄｅＢ２０においては、ここで入力された情報は、制御部２４により記憶部２２に記憶される（ステップＳ１２）。
【００３２】
続いて、フェムトＮｏｄｅＢ２０を起動する時の動作の概要について、図３を参照して説明する。
【００３３】
図３を参照すると、フェムトＮｏｄｅＢ２０の制御部２４は、フェムトＮｏｄｅＢ２０の起動時に、図２のステップＳ１２で記憶部２２に記憶されたフェムトＮｏｄｅＢ識別番号を無線アクセス制御装置３０に通知する（ステップＳ２１）。無線アクセス制御装置３０においては、ここで通知された情報は、制御部３４により記憶部３２に記憶される。
【００３４】
続いて、フェムトＮｏｄｅＢ２０に対して移動機１０の発着信があった時の動作の概要について、図４を参照して説明する。
【００３５】
図４を参照すると、フェムトＮｏｄｅＢ２０に対する移動機１０の発着信があると、呼接続処理が開始され、無線アクセス制御装置３０の制御部３４は、移動機１０との間にＲＲＣ（Radio Resource Control）コネクションを設定する。発着信のあった移動機１０は、移動機識別番号をＲＲＣコネクションを介して無線アクセス制御装置３０に通知する（ステップＳ３１）。無線アクセス制御装置３０においては、ここで通知された情報は、制御部３４により記憶部３２に記憶される。
【００３６】
無線アクセス制御装置３０の制御部３４は、フェムトＮｏｄｅＢ２０に対する発着信である場合、上位交換機４０に対し、図３のステップＳ２１でフェムトＮｏｄｅＢ２０から通知されたフェムトＮｏｄｅＢ識別番号と、図４のステップＳ３１で発着信のあった移動機１０から通知された移動機識別番号と、を通知する（ステップＳ３２）。
【００３７】
上位交換機４０の制御部４４は、図４のステップＳ３２で無線アクセス制御装置３０から通知されたフェムトＮｏｄｅＢ識別番号をキー情報として、図２のステップＳ１１で記憶部４２に記憶された契約ユーザの移動機識別番号を抽出し、ステップＳ３２で無線アクセス制御装置３０から通知された発着信のあった移動機１０の移動機識別番号が契約ユーザの移動機識別番号であるか否かを判定する。
【００３８】
上位交換機４０の制御部４４は、発着信のあった移動機１０の移動機識別番号が契約ユーザの移動機識別番号でない場合（発着信のあった移動機１０が契約外移動機である場合）、ステップＳ３２で無線アクセス制御装置３０から通知されたフェムトＮｏｄｅＢ識別番号をキー情報として、図２のステップＳ１１で記憶部４２に記憶された共有モード情報を参照する。
【００３９】
上位交換機４０の制御部４４は、共有モード情報が有効を示す場合、フェムトＮｏｄｅＢ２０に契約外移動機の発着信があった旨の情報を記憶部４２に記憶させ、無線アクセス制御装置３０にフェムトＮｏｄｅＢ２０の共有レベル情報を通知する（ステップＳ３３）。
【００４０】
また、上位交換機４０の制御部４４は、共有モード情報が無効を示す場合、呼接続処理を終了しＲＲＣコネクションを解放する。
【００４１】
一方、上位交換機４０の制御部４４は、発着信のあった移動機１０の移動機識別番号が契約ユーザの移動機識別番号である場合（発着信のあった移動機１０が契約移動機である場合）、無線アクセス制御装置３０に共有レベル情報を通知せずに呼接続処理を継続する。
【００４２】
無線アクセス制御装置３０の制御部３４は、ステップＳ３３で上位交換機４０から共有レベル情報が通知された場合、通知された共有レベル情報を基に、契約外移動機である移動機１０が利用可能なリソース量の上限値であるリソース閾値を算出する。なお、リソース閾値は、共有レベルに対応して予め決められているものとする。
【００４３】
無線アクセス制御装置３０の制御部３４は、契約外移動機である移動機１０がＲＡＢ（Radio Access Bearer）設定後にリソースを利用すると仮定した場合における利用リソース量がリソース閾値を超過するか否かを判断する。
【００４４】
無線アクセス制御装置３０の制御部３４は、利用リソース量がリソース閾値を超過しない場合、その移動機１０によるフェムトＮｏｄｅＢ２０のリソースの利用を許可し、その旨の情報を上位交換機４０に通知して、呼接続処理を継続する。
【００４５】
また、無線アクセス制御装置３０の制御部３４は、利用リソース量がリソース閾値を超過する場合、呼接続処理を終了しＲＲＣコネクションを解放する。
【００４６】
上位交換機４０の制御部４４は、無線アクセス制御装置３０からフェムトＮｏｄｅＢ２０のリソースの利用を許可した旨の情報を受信した場合、契約外移動機である移動機１０にＲＡＢを設定し呼接続処理を完了した時点で、その移動機１０の利用リソース量に応じた契約外ユーザに対する課金処理を開始する。
【００４７】
また、上位交換機４０の制御部４４は、フェムトＮｏｄｅＢ２０に契約外移動機の発着信があった旨の情報を記憶部４２に記憶していた場合には、契約外移動機である移動機１０の利用リソース量に応じた契約ユーザに対するポイント加算処理を開始する。このポイントは、利用料金減額などのサービスに利用することができる。
（１−２−２）第１の実施形態の動作の具体例
続いて、本実施形態の移動通信システムの動作の具体例について説明する。
【００４８】
なお、以下では、図２に示した動作はすでに行われており、上位交換機４０の記憶部４２には、共有モード情報および共有レベル情報が、フェムトＮｏｄｅＢ識別番号および移動機識別番号と対応付けて記憶され、また、フェムトＮｏｄｅＢ２０の記憶部２２には、フェムトＮｏｄｅＢ識別番号が記憶されているものとする。
【００４９】
図５を参照すると、フェムトＮｏｄｅＢ２０の制御部２４は、フェムトＮｏｄｅＢ２０の起動を契機に（ステップＳ１０１）、通信部２１を介して無線アクセス制御装置３０にフェムトＮｏｄｅＢ識別番号を通知する（ステップＳ１０２）。
【００５０】
無線アクセス制御装置３０の制御部３４は、フェムトＮｏｄｅＢ２０から通知されたフェムトＮｏｄｅＢ識別番号を、無線アクセス制御装置３０で管理しているセル（またはＮｏｄｅＢ）を一意に特定可能な情報（Ｃｅｌｌ  ＩＤ、ＮｏｄｅＢ番号等）と対応付けて記憶部３２に記憶する（ステップＳ１０３）。
【００５１】
以降、フェムトＮｏｄｅＢ２０に対する移動機１０の発着信があるまで待機し（ステップＳ１０４）、発着信があると、呼接続処理が開始され、無線アクセス制御装置３０の制御部３４は、移動機１０との間にＲＲＣコネクションを設定する。
【００５２】
発着信のあった移動機１０は、ＲＲＣコネクションの設定後、移動機識別番号をＲＲＣ：ＩＮＩＴＩＡＬ  ＤＩＲＥＣＴ  ＴＲＡＮＳＦＥＲ信号に設定し無線アクセス制御装置３０に通知する（ステップＳ１０５）。
【００５３】
無線アクセス制御装置３０の制御部３４は、ＲＲＣ：ＩＮＩＴＩＡＬ  ＤＩＲＥＣＴ  ＴＲＡＮＳＦＥＲ信号を受信すると、発着信のあったセル（またはＮｏｄｅＢ）に対応付けて記憶していたフェムトＮｏｄｅＢ識別情報およびＲＲＣ：ＩＮＩＴＩＡＬ  ＤＩＲＥＣＴ  ＴＲＡＮＳＦＥＲ信号にて通知された移動機識別番号を、ＲＡＮＡＰ：ＩＮＩＴＩＡＬ  ＵＥ  ＭＥＳＳＡＧＥ信号に設定し、通信部３１を介して上位交換機４０に通知する（ステップＳ１０６）。なお、上位交換機４０に通知する移動機識別番号については、ＲＲＣ：ＲＲＣ  ＣＯＮＮＥＣＣＴＩＯＮ  ＲＥＱＵＥＳＴ信号にて移動機１０から通知された移動機識別番号を無線アクセス制御装置３０で記憶しておき、ＲＡＮＡＰ：ＩＮＩＴＩＡＬ  ＵＥ  ＭＥＳＳＡＧＥ信号に設定することも可能である。
【００５４】
上位交換機４０の制御部４４は、ＲＡＮＡＰ：ＩＮＩＴＩＡＬ  ＵＥ  ＭＥＳＳＡＧＥ信号を受信すると、発着信のあった移動機１０がフェムトＮｏｄｅＢ２０のリソースを利用可能な移動機であるか否かを判断する移動機判断処理を行う（ステップＳ１０７）。
【００５５】
図６を参照すると、移動機判断処理においては、まず、上位交換機４０の制御部４４は、無線アクセス制御装置３０から通知されたフェムトＮｏｄｅＢ識別番号をキー情報として、フェムトＮｏｄｅＢ２０の契約ユーザの移動機識別番号を抽出する（ステップＳ２０１）。
【００５６】
次に、上位交換機４０の制御部４４は、フェムトＮｏｄｅＢ２０の契約ユーザの移動機識別番号と無線アクセス制御装置３０から通知された移動機識別番号とが一致しているか否かを判定する（ステップＳ２０２）。
【００５７】
ステップＳ２０２において、両者が一致している場合、発着信のあった移動機１０は契約ユーザの契約移動機であるため、上位交換機４０の制御部４４は、呼接続処理を継続する（ステップＳ２０３）。
【００５８】
一方、ステップＳ２０２において、両者が不一致である場合、発着信のあった移動機１０は契約外移動機であるため、続いて、上位交換機４０の制御部４４は、無線アクセス制御装置３０から通知されたフェムトＮｏｄｅＢ識別番号をキー情報として、共有モード情報を抽出し、共有モードの有効／無効を判定する（ステップＳ２０４）。
【００５９】
ステップＳ２０４において、共有モード情報が有効を示す場合、上位交換機４０の制御部４４は、移動機判断処理結果を「契約外ユーザ」として記憶し（ステップＳ２０５）、呼接続処理を継続する（ステップＳ２０３）。
【００６０】
一方、ステップＳ２０４において、共有モード情報が無効を示す場合、上位交換機４０の制御部４４は、呼接続処理を終了しＲＲＣコネクションを解放する（ステップＳ２０６）。
【００６１】
再度図５を参照すると、上位交換機４０の制御部４４は、発着信のあった移動機１０が契約外移動機であり、かつ、共有モード情報が有効を示していたために、呼接続処理を継続した場合、その移動機１０によるフェムトＮｏｄｅＢ２０のリソースの利用を許可するか否かを判断するよう指示するため、共有レベル情報をＲＡＮＡＰ：ＲＡＢ  ＡＳＳＩＧＮＭＥＮＴ  ＲＥＱＵＥＳＴ信号に設定し、通信部４１を介して無線アクセス制御装置３０に通知する（ステップＳ１０８）。なお、図５において、ステップＳ１０７から、ステップＳ１０８のＲＡＮＡＰ：ＲＡＢ  ＡＳＳＩＧＮＭＥＮＴ  ＲＥＱＵＥＳＴ手順までの処理は省略している。
【００６２】
無線アクセス制御装置３０の制御部３４は、ＲＡＮＡＰ：ＲＡＢ  ＡＳＳＩＧＮＭＥＮＴ  ＲＥＱＵＥＳＴ信号を受信すると、このＲＡＮＡＰ：ＲＡＢ  ＡＳＳＩＧＮＭＥＮＴ  ＲＥＱＵＥＳＴ信号に共有レベル情報が設定されている場合、契約外移動機である移動機１０の利用リソース量がリソース閾値を超過するか否かを判断するリソース閾値判断処理を行う（ステップＳ１０９）。
【００６３】
図７を参照すると、リソース閾値判断処理においては、まず、無線アクセス制御装置３０の制御部３４は、上位交換機４０から通知された共有レベル情報を基に、契約外移動機である移動機１０が利用可能なリソース量の上限値であるリソース閾値を算出する（ステップＳ３０１）。
【００６４】
次に、無線アクセス制御装置３０の制御部３４は、契約外移動機である移動機１０がＲＡＢ設定後にリソースを利用すると仮定した場合における利用リソース量がリソース閾値を超過するか否かを判断する（ステップＳ３０２）。
【００６５】
ステップＳ３０２において、無線アクセス制御装置３０の制御部３４は、リソース閾値を超過しない場合は、契約外移動機である移動機１０によるフェムトＮｏｄｅＢ２０のリソースの利用を許可することとして、呼接続処理を継続し（ステップＳ３０３）、リソース閾値を超過する場合は、呼接続処理を終了する（ステップＳ３０４）。
【００６６】
再度図５を参照すると、無線アクセス制御装置３０の制御部３４は、呼接続処理を継続する場合、ＲＡＮＡＰ：ＲＡＢ  ＡＳＳＩＧＮＭＥＮＴ  ＲＥＳＰＯＮＳＥ信号を、通信部３１を介して上位交換機４０に送信する（ステップＳ１１０）。これにより、リソースの利用を許可することが、上位交換機４０に通知される。なお、図５において、ステップＳ１０９から、ステップＳ１１０のＲＡＮＡＰ：ＲＡＢ  ＡＳＳＩＧＮＭＥＮＴ  ＲＥＳＰＯＮＳＥ手順までの処理は省略している。
【００６７】
上位交換機４０の制御部４４は、ＲＡＮＡＰ：ＲＡＢ  ＡＳＳＩＧＮＭＥＮＴ  ＲＥＳＰＯＮＳＥ信号を受信すると、移動機判断処理結果として「契約外ユーザ」が記憶されている場合、呼接続処理の終了後、契約外移動機である移動機１０によるフェムトＮｏｄｅＢ２０の利用リソース量に応じて、そのフェムトＮｏｄｅＢ２０の契約ユーザに対するポイント加算処理を実施する（ステップＳ１１１）。
【００６８】
上述したように本実施形態においては、無線アクセス制御装置３０は、フェムトＮｏｄｅＢ２０において、契約外移動機である移動機１０の発着信があった場合、共有レベルを基に、その移動機１０に対してフェムトＮｏｄｅＢ２０のリソースの利用を許可すると判断すれば、その旨の情報を上位交換機４０に通知する。
【００６９】
そのため、上位交換機４０は、契約外移動機である移動機１０がフェムトＮｏｄｅＢ２０のリソースを利用したか否かを知ることができるという効果が得られる。
【００７０】
したがって、上位交換機４０は、フェムトＮｏｄｅＢ２０の契約ユーザに対し、ポイント加算処理を実施し、利用料金減額などのサービスを提供することもできるという効果が得られる。
【００７１】
また、フェムトＮｏｄｅＢ２０の契約ユーザは、共有モードの有効／無効だけでなく、共有モードを有効とする場合の共有レベルも独自に指定することができるため、許可したリソース量の範囲内で契約外移動機にフェムトＮｏｄｅＢ２０のリソースを利用させることができるという効果が得られる。
【００７２】
また、フェムトＮｏｄｅＢ２０の契約外ユーザは、無線品質の悪いエリアでも、個人契約をすることなくフェムトＮｏｄｅＢ２０を利用して、通信のサービスを受けることができるという効果が得られる。
【００７３】
また、集合住宅等において、複数ユーザがフェムトＮｏｄｅＢ２０の個人契約をする必要がなくなるため、移動通信システムとして許容している設置可能なフェムトＮｏｄｅＢ２０の数を超過する可能性が低減され、これにより、通信事業者はフェムトＮｏｄｅＢの２０の増加に伴う設備投資を削減することができる。
（２）第２の実施形態
（２−１）第２の実施形態の構成
本実施形態の移動通信システムの構成自体は、第１の実施形態と同様である。
（２−２）第２の実施形態の動作
第１の実施形態においては、フェムトＮｏｄｅＢ２０の個人契約時に、契約ユーザが共有モードの有効／無効および共有レベルを指定し、フェムトＮｏｄｅＢ識別番号および契約ユーザの移動機識別番号と共に上位交換機４０に記憶させていた。
【００７４】
これに対して、本実施形態においては、フェムトＮｏｄｅＢ２０の個人契約時には、フェムトＮｏｄｅＢ識別番号および契約ユーザの移動機識別番号のみを上位交換機４０に記憶させる。共有モードの有効／無効および共有レベルは、契約ユーザがフェムトＮｏｄｅＢ２０に自ら設定して記憶させておき、変更も可能とする。また、共有モードの有効／無効および共有レベルは、フェムトＮｏｄｅＢ２０の起動時およびその設定の変更時に、フェムトＮｏｄｅＢ２０から無線アクセス制御装置３０に通知する。
【００７５】
以下、本実施形態の移動通信システムの動作の具体例について説明する。
【００７６】
なお、以下では、上位交換機４０の記憶部４２には、フェムトＮｏｄｅＢ識別番号および契約ユーザの移動機識別番号が記憶され、また、フェムトＮｏｄｅＢ２０の記憶部２２には、フェムトＮｏｄｅＢ識別番号、共有モード情報、および共有レベル情報が記憶されているものとする。
【００７７】
図８を参照すると、フェムトＮｏｄｅＢ２０の制御部２４は、フェムトＮｏｄｅＢ２０の起動、または、ユーザによる共有モード情報もしくは共有レベル情報の変更を契機に（ステップＳ４０１）、通信部２１を介して無線アクセス制御装置３０に、フェムトＮｏｄｅＢ識別番号、共有モード情報、および共有レベル情報を通知する（ステップＳ４０２）。
【００７８】
無線アクセス制御装置３０の制御部３４は、フェムトＮｏｄｅＢ２０から通知されたフェムトＮｏｄｅＢ識別番号、共有モード情報、および共有レベル情報を、無線アクセス制御装置３０で管理しているセル（またはＮｏｄｅＢ）を一意に特定可能な情報（Ｃｅｌｌ  ＩＤ、ＮｏｄｅＢ番号等）と対応付けて記憶部３２に記憶する（ステップＳ４０３）。
【００７９】
以降、フェムトＮｏｄｅＢ２０に対する移動機１０の発着信があるまで待機し（ステップＳ４０４）、発着信があると、呼接続処理が開始され、無線アクセス制御装置３０の制御部３４は、移動機１０との間にＲＲＣコネクションを設定する。
【００８０】
発着信のあった移動機１０は、ＲＲＣコネクションの設定後、移動機識別番号をＲＲＣ：ＩＮＩＴＩＡＬ  ＤＩＲＥＣＴ  ＴＲＡＮＳＦＥＲ信号に設定し無線アクセス制御装置３０に通知する（ステップＳ４０５）。
【００８１】
無線アクセス制御装置３０の制御部３４は、ＲＲＣ：ＩＮＩＴＩＡＬ  ＤＩＲＥＣＴ  ＴＲＡＮＳＦＥＲ信号を受信すると、発着信のあったセル（またはＮｏｄｅＢ）に対応付けて記憶していたフェムトＮｏｄｅＢ識別情報および共有モード情報と、ＲＲＣ：ＩＮＩＴＩＡＬ  ＤＩＲＥＣＴ  ＴＲＡＮＳＦＥＲ信号にて通知された移動機識別番号と、をＲＡＮＡＰ：ＩＮＩＴＩＡＬ  ＵＥ  ＭＥＳＳＡＧＥ信号に設定し、通信部３１を介して上位交換機４０に通知する（ステップＳ４０６）。なお、上位交換機４０に通知する移動機識別番号については、ＲＲＣ：ＲＲＣ  ＣＯＮＮＥＣＣＴＩＯＮ  ＲＥＱＵＥＳＴ信号にて移動機１０から通知された移動機識別番号を無線アクセス制御装置３０で記憶しておき、ＲＡＮＡＰ：ＩＮＩＴＩＡＬ  ＵＥ  ＭＥＳＳＡＧＥ信号に設定することも可能である。
【００８２】
上位交換機４０の制御部４４は、ＲＡＮＡＰ：ＩＮＩＴＩＡＬ  ＵＥ  ＭＥＳＳＡＧＥ信号を受信すると、発着信のあった移動機１０がフェムトＮｏｄｅＢ２０のリソースを利用可能な移動機であるか否かを判断する移動機判断処理を行う（ステップＳ４０７）。なお、ステップＳ４０７の移動機判断処理は、図６に示したものと同様であるため、説明を省略する。
【００８３】
上位交換機４０の制御部４４は、発着信のあった移動機１０が契約外移動機であり、かつ、共有モード情報が有効を示していたために、呼接続処理を継続した場合、その移動機１０によるフェムトＮｏｄｅＢ２０のリソースの利用を許可するか否かを判断するよう指示するため、移動機判断処理結果として「契約外ユーザ」をＲＡＮＡＰ：ＲＡＢ  ＡＳＳＩＧＮＭＥＮＴ  ＲＥＱＵＥＳＴ信号に設定し、通信部４１を介して無線アクセス制御装置３０に通知する（ステップＳ４０８）。なお、図８において、ステップＳ４０７から、ステップＳ４０８のＲＡＮＡＰ：ＲＡＢ  ＡＳＳＩＧＮＭＥＮＴ  ＲＥＱＵＥＳＴ手順までの処理は省略している。
【００８４】
無線アクセス制御装置３０の制御部３４は、ＲＡＮＡＰ：ＲＡＢ  ＡＳＳＩＧＮＭＥＮＴ  ＲＥＱＵＥＳＴ信号を受信すると、このＲＡＮＡＰ：ＲＡＢ  ＡＳＳＩＧＮＭＥＮＴ  ＲＥＱＵＥＳＴ信号に接続判断処理結果として「契約外ユーザ」が設定されている場合、契約外移動機である移動機１０の利用リソース量がリソース閾値を超過するか否かを判断するリソース閾値判断処理を行う（ステップＳ４０９）。なお、ステップＳ４０９のリソース閾値判断処理は、図７に示したものと同様であるため、説明を省略する。
【００８５】
無線アクセス制御装置３０の制御部３４は、呼接続処理を継続する場合、ＲＡＮＡＰ：ＲＡＢ  ＡＳＳＩＧＮＭＥＮＴ  ＲＥＳＰＯＮＳＥ信号を、通信部３１を介して上位交換機４０に送信する（ステップＳ４１０）。これにより、リソースの利用を許可することが、上位交換機４０に通知される。なお、図８において、ステップＳ４０９から、ステップＳ４１０のＲＡＮＡＰ：ＲＡＢ  ＡＳＳＩＧＮＭＥＮＴ  ＲＥＳＰＯＮＳＥ手順までの処理は省略している。
【００８６】
上位交換機４０の制御部４４は、ＲＡＮＡＰ：ＲＡＢ  ＡＳＳＩＧＮＭＥＮＴ  ＲＥＳＰＯＮＳＥ信号を受信すると、移動機判断処理結果として「契約外ユーザ」が記憶されている場合、呼接続処理の終了後、契約外移動機である移動機１０によるフェムトＮｏｄｅＢ２０の利用リソース量に応じて、そのフェムトＮｏｄｅＢ２０の契約ユーザに対するポイント加算処理を実施する（ステップＳ４１１）。
【００８７】
なお、本実施形態の効果は、第１の実施形態と同様である。
（３）第３の実施形態
（３−１）第３の実施形態の構成
第１および第２の実施形態は、本発明をＷＣＤＭＡ方式の移動通信システムに適用した例であった。
【００８８】
これに対して、本実施形態は、本発明をＬＴＥ（Long Term Evolution）方式の移動通信システムに適用したものである。
【００８９】
図９を参照すると、本実施形態の移動通信システムは、ＬＴＥ方式の移動通信システムであり、移動機１０と、Ｈｏｍｅ  ｅＮｏｄｅＢ５０と、上位交換機４０と、を有している。なお、図９において、図１と同様の部分には同一の符号を付す。
【００９０】
Ｈｏｍｅ  ｅＮｏｄｅＢ５０は、移動機１０および上位交換機４０と通信する通信部５１と、各種の情報を記憶する記憶部５２と、各種の操作が行われる操作部５３と、Ｈｏｍｅ  ｅＮｏｄｅＢ５０内の構成要素を制御して各種の処理を行う制御部５４と、を有している。
（３−２）第３の実施形態の動作
以下、本実施形態の移動通信システムの動作の具体例について説明する。
【００９１】
なお、以下では、図２と略同様の動作はすでに行われており、上位交換機４０の記憶部４２には、共有モード情報および共有レベル情報が、Ｈｏｍｅ  ｅＮｏｄｅＢ５０を一意に特定可能な識別番号（以降、Ｈｏｍｅ  ｅＮｏｄｅＢ識別番号と称す）および移動機識別番号と対応付けて記憶され、また、Ｈｏｍｅ  ｅＮｏｄｅＢ５０の記憶部５２には、Ｈｏｍｅ  ｅＮｏｄｅＢ識別番号が記憶されているものとする。
【００９２】
図１０を参照すると、移動機１０は、Ｈｏｍｅ  ｅＮｏｄｅＢ５０に対する発着信があると、移動機識別番号をＲＲＣ：ＲＲＣ  ＣＯＮＮＥＣＴＩＯＮ  ＲＥＱＵＥＳＴ信号に設定し、Ｈｏｍｅ  ｅＮｏｄｅＢ５０に通知する（ステップＳ５０１）。
【００９３】
Ｈｏｍｅ  ｅＮｏｄｅＢ５０の制御部５４は、ＲＲＣ：ＲＲＣ  ＣＯＮＮＥＣＴＩＯＮ  ＲＥＱＵＥＳＴ信号を受信すると、このＲＲＣ：ＲＲＣ  ＣＯＮＮＥＣＴＩＯＮ  ＲＥＱＵＥＳＴ信号にて通知された移動機識別番号を記憶部５２に記憶する（ステップＳ５０２）。
【００９４】
次に、Ｈｏｍｅ  ｅＮｏｄｅＢ５０の制御部５４は、ＲＲＣコネクションを設定し、ＲＲＣ：ＲＲＣ  ＣＯＮＮＥＣＴＩＯＮ  ＳＥＴＵＰ信号を、通信部５１を介して移動機１０に送信する（ステップＳ５０３）。
【００９５】
移動機１０は、ＲＲＣ：ＲＲＣ  ＣＯＮＮＥＣＴＩＯＮ  ＳＥＴＵＰ信号を受信すると、その応答としてＲＲＣ：ＲＲＣ  ＣＯＮＮＥＣＴＩＯＮ  ＳＥＴＵＰ  ＣＯＭＰＬＥＴＥ信号をＨｏｍｅ  ｅＮｏｄｅＢ５０に送信する（ステップＳ５０４）。
【００９６】
Ｈｏｍｅ  ｅＮｏｄｅＢ５０の制御部５４は、ＲＲＣ：ＲＲＣ  ＣＯＮＮＥＣＴＩＯＮ  ＳＥＴＵＰ  ＣＯＭＰＬＥＴＥ信号を受信すると、Ｈｏｍｅ  ｅＮｏｄｅＢ識別情報と、移動機１０からＲＲＣ：ＲＲＣ  ＣＯＮＮＥＣＴＩＯＮ  ＲＥＱＵＥＳＴ信号にて通知された移動機識別番号と、をＳ１ＡＰ：ＩＮＩＴＩＡＬ  ＵＥ  ＭＥＳＳＡＧＥ信号に設定し上位交換機４０に通知する。
【００９７】
上位交換機４０の制御部４４は、Ｓ１ＡＰ：ＩＮＩＴＩＡＬ  ＵＥ  ＭＥＳＳＡＧＥ信号を受信すると、発着信のあった移動機１０がＨｏｍｅ  ｅＮｏｄｅＢ５０のリソースを利用可能な移動機であるか否かを判断する移動機判断処理を行う（ステップＳ５０６）。
【００９８】
図１１を参照すると、移動機判断処理においては、まず、上位交換機４０の制御部４４は、Ｈｏｍｅ  ｅＮｏｄｅＢ５０から通知されたＨｏｍｅ  ｅＮｏｄｅＢ識別番号をキー情報として、Ｈｏｍｅ  ｅＮｏｄｅＢ５０の契約ユーザの移動機識別番号を抽出する（ステップＳ６０１）。
【００９９】
次に、上位交換機４０の制御部４４は、Ｈｏｍｅ  ｅＮｏｄｅＢ５０の契約ユーザの移動機識別番号とＨｏｍｅ  ｅＮｏｄｅＢ５０から通知された移動機識別番号とが一致しているか否かを判定する（ステップＳ６０２）。
【０１００】
ステップＳ６０２において、両者が一致している場合、発着信のあった移動機１０は契約ユーザの契約移動機であるため、上位交換機４０の制御部４４は、呼接続処理を継続する（ステップＳ６０３）。
【０１０１】
一方、ステップＳ６０２において、両者が不一致である場合、発着信のあった移動機１０は契約外移動機であるため、続いて、上位交換機４０の制御部４４は、Ｈｏｍｅ  ｅＮｏｄｅＢ５０から通知されたＨｏｍｅ  ｅＮｏｄｅＢ識別番号をキー情報として、共有モード情報を抽出し、共有モードの有効／無効を判定する（ステップＳ６０４）。
【０１０２】
ステップＳ６０４において、共有モード情報が有効を示す場合、上位交換機４０の制御部４４は、移動機判断処理結果を「契約外ユーザ」として記憶し（ステップＳ６０５）、呼接続処理を継続する（ステップＳ６０３）。
【０１０３】
一方、ステップＳ６０４において、共有モード情報が無効を示す場合、上位交換機４０の制御部４４は、呼接続処理を終了しＲＲＣコネクションを解放する（ステップＳ６０６）。
【０１０４】
再度図１０を参照すると、上位交換機４０の制御部４４は、発着信のあった移動機１０が契約外移動機であり、かつ、共有モード情報が有効を示していたために、呼接続処理を継続した場合、その移動機１０によるフェムトＮｏｄｅＢ２０のリソースの利用を許可するか否かを判断するよう指示するため、共有レベル情報をＳ１ＡＰ：ＩＮＩＴＩＡＬ  ＣＯＮＴＥＸＴ  ＳＥＴＵＰ  ＲＥＱＵＥＳＴ信号に設定し、通信部４１を介してＨｏｍｅ  ｅＮｏｄｅＢ５０に通知する（ステップＳ５０７）。
【０１０５】
Ｈｏｍｅ  ｅＮｏｄｅＢ５０の制御部５４は、Ｓ１ＡＰ：ＩＮＩＴＩＡＬ  ＣＯＮＴＥＸＴ  ＳＥＴＵＰ  ＲＥＱＵＥＳＴ信号を受信すると、このＳ１ＡＰ：ＩＮＩＴＩＡＬ  ＣＯＮＴＥＸＴ  ＳＥＴＵＰ  ＲＥＱＵＥＳＴ信号に共有レベル情報が設定されている場合、契約外移動機である移動機１０の利用リソース量がリソース閾値を超過するか否かを判断するリソース閾値判断処理を行う（ステップＳ５０８）。なお、ステップＳ５０８のリソース閾値判断処理は、図７に示したものと同様であるため、説明を省略する。
【０１０６】
Ｈｏｍｅ  ｅＮｏｄｅＢ５０の制御部５４は、呼接続処理を継続する場合、Ｓ１ＡＰ：ＩＮＩＴＩＡＬ  ＣＯＮＴＥＸＴ  ＳＥＴＵＰ  ＲＥＳＰＯＮＳＥ信号を、通信部５１を介して上位交換機４０に送信する（ステップＳ５０９）。これにより、リソースの利用を許可することが、上位交換機４０に通知される。
【０１０７】
上位交換機４０の制御部４４は、Ｓ１ＡＰ：ＩＮＩＴＩＡＬ  ＣＯＮＴＥＸＴ  ＳＥＴＵＰ  ＲＥＳＰＯＮＳＥ信号を受信すると、移動機判断処理結果として「契約外ユーザ」が記憶されている場合、呼接続処理の終了後、契約外移動機である移動機１０によるＨｏｍｅ  ｅＮｏｄｅＢ５０の利用リソース量に応じて、そのフェムトＮｏｄｅＢ２０の契約ユーザに対するポイント加算処理を実施する（ステップＳ５１０）。
【０１０８】
上述したように本実施形態においては、Ｈｏｍｅ  ｅＮｏｄｅＢ５０は、契約外移動機である移動機１０の発着信があった場合、共有レベルを基に、その移動機１０に対してＨｏｍｅ  ｅＮｏｄｅＢ５０のリソースの利用を許可すると判断すれば、その旨の情報を上位交換機４０に通知する。
【０１０９】
そのため、上位交換機４０は、契約外移動機である移動機１０がＨｏｍｅ  ｅＮｏｄｅＢ５０のリソースを利用したか否かを知ることができるという効果が得られる。
【０１１０】
したがって、上位交換機４０は、Ｈｏｍｅ  ｅＮｏｄｅＢ５０の契約ユーザに対し、ポイント加算処理を実施し、利用料金減額などのサービスを提供することもできるという効果が得られる。
【０１１１】
また、Ｈｏｍｅ  ｅＮｏｄｅＢ５０の契約ユーザは、共有モードの有効／無効だけでなく、共有モードを有効とする場合の共有レベルも独自に指定することができるため、許可したリソース量の範囲内で契約外移動機にＨｏｍｅ  ｅＮｏｄｅＢ５０のリソースを利用させることができるという効果が得られる。
【０１１２】
また、Ｈｏｍｅ  ｅＮｏｄｅＢ５０の契約外ユーザは、無線品質の悪いエリアでも、個人契約をすることなくＨｏｍｅ  ｅＮｏｄｅＢ５０を利用して、通信のサービスを受けることができるという効果が得られる。
【０１１３】
また、集合住宅等において、複数ユーザがＨｏｍｅ  ｅＮｏｄｅＢ５０の個人契約をする必要がなくなるため、移動通信システムとして許容している設置可能なＨｏｍｅ  ｅＮｏｄｅＢ５０の数を超過する可能性が低減され、これにより、通信事業者はＨｏｍｅ  ｅＮｏｄｅＢ５０の増加に伴う設備投資を削減することができる。
【０１１４】
なお、上記の実施形態の一部または全部は、以下の付記のようにも記載されうるが、以下には限られない。
（付記１）
移動機と、フェムトＮｏｄｅＢと、無線アクセス制御装置と、上位交換機と、を有してなる移動通信システムであって、
前記上位交換機は、
前記フェムトＮｏｄｅＢの契約をした契約ユーザの移動機以外の契約外移動機に対し、該フェムトＮｏｄｅＢのリソースの利用を許可するか否かを示す共有モード情報と、前記契約外移動機が利用可能な前記フェムトＮｏｄｅＢのリソース量の上限値に対応する共有レベルを示す共有レベル情報と、を予め記憶し、
前記フェムトＮｏｄｅＢに対して前記契約外移動機の発着信があった場合、該フェムトＮｏｄｅＢの前記共有モード情報が許可を示していれば、該フェムトＮｏｄｅＢの前記共有レベル情報を前記無線アクセス制御装置に通知し、
前記無線アクセス制御装置は、
前記上位交換機から前記共有レベル情報を受信した場合、前記契約外移動機が前記フェムトＮｏｄｅＢのリソースを利用すると仮定した場合における利用リソース量が、前記共有レベル情報が示している共有レベルに対応する上限値を超過しない場合、前記契約外移動機による前記フェムトＮｏｄｅＢのリソースの利用を許可し、その旨の情報を前記上位交換機に通知する、移動通信システム。
（付記２）
移動機と、フェムトＮｏｄｅＢと、無線アクセス制御装置と、上位交換機と、を有してなる移動通信システムであって、
前記フェムトＮｏｄｅＢは、
前記フェムトＮｏｄｅＢの契約をした契約ユーザの移動機以外の契約外移動機に対し、該フェムトＮｏｄｅＢのリソースの利用を許可するか否かを示す共有モード情報と、前記契約外移動機が利用可能な前記フェムトＮｏｄｅＢのリソース量の上限値に対応する共有レベルを示す共有レベル情報と、を予め記憶し、所定のタイミングで前記共有モード情報および前記共有レベル情報を前記無線アクセス制御装置に通知し、
前記無線アクセス制御装置は、
前記フェムトＮｏｄｅＢから前記共有モード情報および前記共有レベル情報が通知された場合、該共有モード情報および該共有レベル情報を記憶し、
前記フェムトＮｏｄｅＢに対して前記移動機の発着信があった場合、該フェムトＮｏｄｅＢの共有モード情報を前記上位交換機に通知し、
前記上位交換機は、
前記フェムトＮｏｄｅＢに対して発着信があった移動機が前記契約外移動機である場合、該フェムトＮｏｄｅＢの前記共有モード情報が許可を示していれば、前記契約外移動機による前記フェムトＮｏｄｅＢのリソースの利用を許可するか否かを判断させるための指示を前記無線アクセス制御装置に通知し、
前記無線アクセス制御装置は、
前記上位交換機から前記指示を受信した場合、前記契約外移動機が前記フェムトＮｏｄｅＢのリソースを利用すると仮定した場合における利用リソース量が、前記共有レベル情報が示している共有レベルに対応する上限値を超過しない場合、前記契約外移動機による前記フェムトＮｏｄｅＢのリソースの利用を許可し、その旨の情報を前記上位交換機に通知する、移動通信システム。
（付記３）
前記上位交換機は、
前記無線アクセス制御装置から、前記契約外移動機による前記フェムトＮｏｄｅＢのリソースの利用を許可する旨の情報を受信した場合、前記契約外移動機の利用リソース量に応じたポイントを前記契約ユーザに加算する処理を開始する、付記１または２に記載の移動通信システム。
（付記４）
移動機と、Ｈｏｍｅ  ｅＮｏｄｅＢと、上位交換機と、を有してなる移動通信システムであって、
前記上位交換機は、
前記Ｈｏｍｅ  ｅＮｏｄｅＢの契約をした契約ユーザの移動機以外の契約外移動機に対し、該Ｈｏｍｅ  ｅＮｏｄｅＢのリソースの利用を許可するか否かを示す共有モード情報と、前記契約外移動機が利用可能な前記Ｈｏｍｅ  ｅＮｏｄｅＢのリソース量の上限値に対応する共有レベルを示す共有レベル情報と、を予め記憶し、
前記Ｈｏｍｅ  ｅＮｏｄｅＢに対して前記契約外移動機の発着信があった場合、該Ｈｏｍｅ  ｅＮｏｄｅＢの前記共有モード情報が許可を示していれば、該Ｈｏｍｅ  ｅＮｏｄｅＢの前記共有レベル情報を該Ｈｏｍｅ  ｅＮｏｄｅＢに通知し、
前記Ｈｏｍｅ  ｅＮｏｄｅＢは、
前記上位交換機から前記共有レベル情報を受信した場合、前記契約外移動機が前記Ｈｏｍｅ  ｅＮｏｄｅＢのリソースを利用すると仮定した場合における利用リソース量が、前記共有レベル情報が示している共有レベルに対応する上限値を超過しない場合、前記契約外移動機による前記Ｈｏｍｅ  ｅＮｏｄｅＢのリソースの利用を許可し、その旨の情報を前記上位交換機に通知する、移動通信システム。
（付記５）
前記上位交換機は、
前記Ｈｏｍｅ  ｅＮｏｄｅＢから、前記契約外移動機による前記Ｈｏｍｅ  ｅＮｏｄｅＢのリソースの利用を許可する旨の情報を受信した場合、前記契約外移動機の利用リソース量に応じたポイントを前記契約ユーザに加算する処理を開始する、付記４に記載の移動通信システム。
（付記６）
フェムトＮｏｄｅＢの契約をした契約ユーザの移動機以外の契約外移動機に対し、該フェムトＮｏｄｅＢのリソースの利用を許可するか否かを示す共有モード情報と、前記契約外移動機が利用可能な前記フェムトＮｏｄｅＢのリソース量の上限値に対応する共有レベルを示す共有レベル情報と、を予め記憶する記憶部と、
前記フェムトＮｏｄｅＢに対して前記契約外移動機の発着信があった場合、該フェムトＮｏｄｅＢの前記共有モード情報が許可を示していれば、該フェムトＮｏｄｅＢの前記共有レベル情報を無線アクセス制御装置に通知し、前記共有レベル情報を基に前記契約外移動機による前記基地局のリソースの利用を許可するか否かを判断するよう指示する制御部と、を有する上位交換機。
（付記７）
フェムトＮｏｄｅＢから無線アクセス制御装置を介して、該フェムトＮｏｄｅＢの契約をした契約ユーザの移動機以外の契約外移動機に対し、該フェムトＮｏｄｅＢのリソースの利用を許可するか否かを示す共有モード情報を受信する通信部と、
前記フェムトＮｏｄｅＢに対して前記契約外移動機の発着信があった場合、該フェムトＮｏｄｅＢの前記共有モード情報が許可を示していれば、前記無線アクセス制御装置に対し、前記契約外移動機が利用可能な前記フェムトＮｏｄｅＢのリソース量の上限値に対応する共有レベルを示す共有レベル情報を基に前記契約外移動機による前記基地局のリソースの利用を許可するか否かを判断するよう指示する制御部と、を有する上位交換機。
（付記８）
前記制御部は、
前記無線アクセス制御装置から、前記契約外移動機による前記基地局のリソースの利用を許可する旨の情報が通知された場合、前記契約外移動機の利用リソース量に応じたポイントを前記契約ユーザに加算する処理を開始する、付記６または７に記載の上位交換機。
（付記９）
Ｈｏｍｅ  ｅＮｏｄｅＢの契約をした契約ユーザの移動機以外の契約外移動機に対し、該Ｈｏｍｅ  ｅＮｏｄｅＢのリソースの利用を許可するか否かを示す共有モード情報と、前記契約外移動機が利用可能な前記Ｈｏｍｅ  ｅＮｏｄｅＢのリソース量の上限値に対応する共有レベルを示す共有レベル情報と、を予め記憶する記憶部と、
前記Ｈｏｍｅ  ｅＮｏｄｅＢに対して前記契約外移動機の発着信があった場合、該Ｈｏｍｅ  ｅＮｏｄｅＢの前記共有モード情報が許可を示していれば、該Ｈｏｍｅ  ｅＮｏｄｅＢの前記共有レベル情報を該Ｈｏｍｅ  ｅＮｏｄｅＢに通知し、前記共有レベル情報を基に前記契約外移動機による前記基地局のリソースの利用を許可するか否かを判断するよう指示する制御部と、を有する上位交換機。
（付記１０）
前記制御部は、
前記Ｈｏｍｅ  ｅＮｏｄｅＢから、前記契約外移動機による前記基地局のリソースの利用を許可する旨の情報が通知された場合、前記契約外移動機の利用リソース量に応じたポイントを前記契約ユーザに加算する処理を開始する、付記９に記載の上位交換機。
（付記１１）
上位交換機から、フェムトＮｏｄｅＢの契約をした契約ユーザの移動機以外の契約外移動機に該フェムトＮｏｄｅＢのリソースの利用を許可する場合における、前記契約外移動機が利用可能な前記フェムトＮｏｄｅＢのリソース量の上限値に対応する共有レベルを示す共有レベル情報を受信する通信部と、
前記上位交換機から前記共有レベル情報を受信した場合、前記契約外移動機が前記フェムトＮｏｄｅＢのリソースを利用すると仮定した場合における利用リソース量が、前記共有レベル情報が示している共有レベルに対応する上限値を超過しない場合、前記契約外移動機による前記フェムトＮｏｄｅＢのリソースの利用を許可し、その旨の情報を前記上位交換機に通知する制御部と、を有する無線アクセス制御装置。
（付記１２）
フェムトＮｏｄｅＢから、該フェムトＮｏｄｅＢの契約をした契約ユーザの移動機以外の契約外移動機に該フェムトＮｏｄｅＢのリソースの利用を許可する場合における、前記契約外移動機が利用可能な前記フェムトＮｏｄｅＢのリソース量の上限値に対応する共有レベルを示す共有レベル情報を受信すると共に、上位交換機から、前記契約外移動機による前記フェムトＮｏｄｅＢのリソースの利用を許可するか否かを判断させるための指示を受信する通信部と、
前記上位交換機から前記指示を受信した場合、前記契約外移動機が前記フェムトＮｏｄｅＢのリソースを利用すると仮定した場合における利用リソース量が、前記共有レベル情報が示している共有レベルに対応する上限値を超過しない場合、前記契約外移動機による前記フェムトＮｏｄｅＢのリソースの利用を許可し、その旨の情報を前記上位交換機に通知する制御部と、を有する無線アクセス制御装置。
（付記１３）
上位交換機から、Ｈｏｍｅ  ｅＮｏｄｅＢの契約をした契約ユーザの移動機以外の契約外移動機に該Ｈｏｍｅ  ｅＮｏｄｅＢのリソースの利用を許可する場合における、前記契約外移動機が利用可能な前記Ｈｏｍｅ  ｅＮｏｄｅＢのリソース量の上限値に対応する共有レベルを示す共有レベル情報を受信する通信部と、
前記上位交換機から前記共有レベル情報を受信した場合、前記契約外移動機が前記Ｈｏｍｅ  ｅＮｏｄｅＢのリソースを利用すると仮定した場合における利用リソース量が、前記共有レベル情報が示している共有レベルに対応する上限値を超過しない場合、前記契約外移動機による前記Ｈｏｍｅ  ｅＮｏｄｅＢのリソースの利用を許可し、その旨の情報を前記上位交換機に通知する制御部と、を有するＨｏｍｅ  ｅＮｏｄｅＢ。
（付記１４）
上位交換機による通信方法であって、
フェムトＮｏｄｅＢの契約をした契約ユーザの移動機以外の契約外移動機に対し、該フェムトＮｏｄｅＢのリソースの利用を許可するか否かを示す共有モード情報と、前記契約外移動機が利用可能な前記フェムトＮｏｄｅＢのリソース量の上限値に対応する共有レベルを示す共有レベル情報と、を予め記憶する記憶ステップと、
前記フェムトＮｏｄｅＢに対して前記契約外移動機の発着信があった場合、該フェムトＮｏｄｅＢの前記共有モード情報が許可を示していれば、該フェムトＮｏｄｅＢの前記共有レベル情報を無線アクセス制御装置に通知し、前記共有レベル情報を基に前記契約外移動機による前記基地局のリソースの利用を許可するか否かを判断するよう指示する制御ステップと、を有する通信方法。
（付記１５）
上位交換機による通信方法であって、
フェムトＮｏｄｅＢから無線アクセス制御装置を介して、該フェムトＮｏｄｅＢの契約をした契約ユーザの移動機以外の契約外移動機に対し、該フェムトＮｏｄｅＢのリソースの利用を許可するか否かを示す共有モード情報を受信する通信ステップと、
前記フェムトＮｏｄｅＢに対して前記契約外移動機の発着信があった場合、該フェムトＮｏｄｅＢの前記共有モード情報が許可を示していれば、前記無線アクセス制御装置に対し、前記契約外移動機が利用可能な前記フェムトＮｏｄｅＢのリソース量の上限値に対応する共有レベルを示す共有レベル情報を基に前記契約外移動機による前記基地局のリソースの利用を許可するか否かを判断するよう指示する制御ステップと、を有する通信方法。
（付記１６）
前記制御ステップでは、
前記無線アクセス制御装置から、前記契約外移動機による前記基地局のリソースの利用を許可する旨の情報が通知された場合、前記契約外移動機の利用リソース量に応じたポイントを前記契約ユーザに加算する処理を開始する、付記１４または１５に記載の通信方法。
（付記１７）
上位交換機による通信方法であって、
Ｈｏｍｅ  ｅＮｏｄｅＢの契約をした契約ユーザの移動機以外の契約外移動機に対し、該Ｈｏｍｅ  ｅＮｏｄｅＢのリソースの利用を許可するか否かを示す共有モード情報と、前記契約外移動機が利用可能な前記Ｈｏｍｅ  ｅＮｏｄｅＢのリソース量の上限値に対応する共有レベルを示す共有レベル情報と、を予め記憶する記憶ステップと、
前記Ｈｏｍｅ  ｅＮｏｄｅＢに対して前記契約外移動機の発着信があった場合、該Ｈｏｍｅ  ｅＮｏｄｅＢの前記共有モード情報が許可を示していれば、該Ｈｏｍｅ  ｅＮｏｄｅＢの前記共有レベル情報を該Ｈｏｍｅ  ｅＮｏｄｅＢに通知し、前記共有レベル情報を基に前記契約外移動機による前記基地局のリソースの利用を許可するか否かを判断するよう指示する制御ステップと、を有する通信方法。
（付記１８）
前記制御ステップでは、
前記Ｈｏｍｅ  ｅＮｏｄｅＢから、前記契約外移動機による前記基地局のリソースの利用を許可する旨の情報が通知された場合、前記契約外移動機の利用リソース量に応じたポイントを前記契約ユーザに加算する処理を開始する、付記１７に記載の通信方法。
（付記１９）
無線アクセス制御装置による通信方法であって、
上位交換機から、フェムトＮｏｄｅＢの契約をした契約ユーザの移動機以外の契約外移動機に該フェムトＮｏｄｅＢのリソースの利用を許可する場合における、前記契約外移動機が利用可能な前記フェムトＮｏｄｅＢのリソース量の上限値に対応する共有レベルを示す共有レベル情報を受信し、
前記上位交換機から前記共有レベル情報を受信した場合、前記契約外移動機が前記フェムトＮｏｄｅＢのリソースを利用すると仮定した場合における利用リソース量が、前記共有レベル情報が示している共有レベルに対応する上限値を超過しない場合、前記契約外移動機による前記フェムトＮｏｄｅＢのリソースの利用を許可し、その旨の情報を前記上位交換機に通知する、通信方法。
（付記２０）
無線アクセス制御装置による通信方法であって、
フェムトＮｏｄｅＢから、該フェムトＮｏｄｅＢの契約をした契約ユーザの移動機以外の契約外移動機に該フェムトＮｏｄｅＢのリソースの利用を許可する場合における、前記契約外移動機が利用可能な前記フェムトＮｏｄｅＢのリソース量の上限値に対応する共有レベルを示す共有レベル情報を受信すると共に、上位交換機から、前記契約外移動機による前記フェムトＮｏｄｅＢのリソースの利用を許可するか否かを判断させるための指示を受信し、
前記上位交換機から前記指示を受信した場合、前記契約外移動機が前記フェムトＮｏｄｅＢのリソースを利用すると仮定した場合における利用リソース量が、前記共有レベル情報が示している共有レベルに対応する上限値を超過しない場合、前記契約外移動機による前記フェムトＮｏｄｅＢのリソースの利用を許可し、その旨の情報を前記上位交換機に通知する、通信方法。
（付記２１）
Ｈｏｍｅ  ｅＮｏｄｅＢによる通信方法であって、
上位交換機から、Ｈｏｍｅ  ｅＮｏｄｅＢの契約をした契約ユーザの移動機以外の契約外移動機に該Ｈｏｍｅ  ｅＮｏｄｅＢのリソースの利用を許可する場合における、前記契約外移動機が利用可能な前記Ｈｏｍｅ  ｅＮｏｄｅＢのリソース量の上限値に対応する共有レベルを示す共有レベル情報を受信し、
前記上位交換機から前記共有レベル情報を受信した場合、前記契約外移動機が前記Ｈｏｍｅ  ｅＮｏｄｅＢのリソースを利用すると仮定した場合における利用リソース量が、前記共有レベル情報が示している共有レベルに対応する上限値を超過しない場合、前記契約外移動機による前記Ｈｏｍｅ  ｅＮｏｄｅＢのリソースの利用を許可し、その旨の情報を前記上位交換機に通知する、Ｈｏｍｅ  ｅＮｏｄｅＢ。
【符号の説明】
【０１１５】
１０    移動機
２０    フェムトＮｏｄｅＢ
２１    通信部
２２    記憶部
２３    操作部
２４    制御部
３０    無線アクセス制御装置
３１    通信部
３２    記憶部
３３    操作部
３４    制御部
４０    上位交換機
４１    通信部
４２    記憶部
４３    操作部
４４    制御部
５０    Ｈｏｍｅ  ｅＮｏｄｅＢ
５１    通信部
５２    記憶部
５３    操作部
５４    制御部
【図１】
2013162400.tif 000003
【図２】
2013162400.tif 000004
【図３】
2013162400.tif 000005
【図４】
2013162400.tif 000006
【図５】
2013162400.tif 000007
【図６】
2013162400.tif 000008
【図７】
2013162400.tif 000009
【図８】
2013162400.tif 000010
【図９】
2013162400.tif 000011
【図１０】
2013162400.tif 000012
【図１１】
2013162400.tif 000013